(57)【要約】【課題】自動チャンネルプリセットをより好適なタイミングで実行することで、ユーザにとって使い勝手の良い放送受信機及びテレビジョン放送受信機を提供する。【解決手段】テレビジョン放送受信機１００において、チャンネルプリセット手段（例えば、ＣＰＵ１５２、チャンネルプリセットプログラム１５４ｃ等）は、判断手段（例えば、ＣＰＵ１５２、判断プログラム１５４ｂ等）により、電源コード３ａが商用電源に接続されたと判断すると、受信手段（例えば、チューナ５等）により自動スキャン受信処理を行い、受信された放送チャンネルをチャンネルデータとしてチャンネルメモリ１５３ｂに記憶する。【選択図】図１
2007088578.tif 000002
【特許請求の範囲】
【請求項１】
放送信号を受信する受信手段と、
電源コードが、商用電源に接続されたか否かを判断する判断手段と、
前記判断手段により、前記電源コードが商用電源に接続されたと判断されると、前記受信手段に自動スキャン受信処理を行わせ、前記自動スキャン受信処理により受信された放送チャンネルをチャンネルデータとしてチャンネルメモリに記憶させるチャンネルプリセット手段と、を備え、
前記チャンネルプリセット手段は、
受信された前記チャンネルデータと、前記チャンネルメモリに記憶されているチャンネルデータとを比較して、一致しているか否かを判定する判定手段と、
前記判定手段により、受信された前記チャンネルデータと、前記チャンネルメモリに記憶されている前記チャンネルデータとが、異なると判断されたときに、所定の第１報知表示を表示部に行う第１表示制御手段と、
前記第１表示制御手段により前記表示部に表示された前記第１報知表示に基づいて、前記チャンネルメモリに記憶する前記チャンネルデータにおける放送チャンネルの追加及び／又は削除を行うための操作入力手段と、
前記操作入力手段による入力操作により、前記チャンネルメモリに記憶する前記チャンネルデータにおける放送チャンネルの追加及び／又は削除を行うメモリ更新手段と、を備え、
前記チャンネルプリセット手段により受信された放送チャンネルがない場合に、電源オン時に、所定の第２報知表示を前記表示部に行う第２表示制御手段を備え、
前記チャンネルプリセット手段は、受信された放送チャンネルがない場合に、所定時間経過後に、再び、前記自動スキャン受信処理を実行することを特徴とするテレビジョン放送受信機。
【請求項２】
放送信号を受信する受信手段と、
電源コードが、商用電源に接続されたか否かを判断する判断手段と、
前記判断手段により、前記電源コードが商用電源に接続されたと判断されると、前記受信手段に自動スキャン受信処理を行わせ、前記自動スキャン受信処理により受信された放送チャンネルをチャンネルデータとしてチャンネルメモリに記憶させるチャンネルプリセット手段と、
を備えることを特徴とする放送受信機。
【請求項３】
前記チャンネルプリセット手段は、
前記自動スキャン受信処理により受信された前記チャンネルデータと、前記チャンネルメモリに記憶されているチャンネルデータとを比較して、一致しているか否かを判定する判定手段と、
前記判定手段により、受信された前記チャンネルデータと、前記チャンネルメモリに記憶されている前記チャンネルデータとが、異なると判断されたときに、所定の報知表示を表示部に行う表示制御手段と、
前記表示制御手段により前記表示部に表示された前記報知表示に基づいて、前記チャンネルメモリに記憶する前記チャンネルデータにおける放送チャンネルの追加及び／又は削除を行うための操作入力手段と、
前記操作入力手段による入力操作により、前記チャンネルメモリに記憶する前記チャンネルデータにおける放送チャンネルの追加及び／又は削除を行うメモリ更新手段と、
を備えることを特徴とする請求項２に記載の放送受信機。
【請求項４】
前記チャンネルプリセット手段により受信された放送チャンネルがない場合に、電源オン時に、所定の第２報知表示を前記表示部に行う第２表示制御手段を備えることを特徴と
する請求項２又は３に放送受信機。
【請求項５】
前記チャンネルプリセット手段は、受信された放送チャンネルがない場合に、所定時間経過後に、再び、前記自動スキャン受信処理を実行することを特徴とする請求項２〜４の何れか一項に記載の放送受信機。
【発明の詳細な説明】
【技術分野】
【０００１】
本発明は、放送信号の受信を行う放送受信機及びテレビジョン放送受信機に関する。
【背景技術】
【０００２】
放送信号の受信を行うテレビジョン放送受信機等の放送受信機において、放送受信機の購入後に初めて視聴を行う場合や、異なる放送エリアへの引越し後に初めて視聴を行う場合等には、受信する周波数帯域を選択して設定するためのチャンネルプリセットを行う必要がある。
【０００３】
従来のチャンネルプリセットは、ユーザが所望の周波数帯域に放送受信機を同調させる操作を行いながら、所望の周波数帯域を一つ一つメモリに記憶させるというものであり、操作が大変複雑且つ煩雑であるという問題があった。
【０００４】
そこで、例えば、機器の購入後に、最初に電源を投入するだけで自動的にチャンネルプリセットが実行される技術（例えば、特許文献１、特許文献２）が開示されている。
【特許文献１】特開平０８−１５４０３８号公報
【特許文献２】特開平１０−２７０９８４号公報
【発明の開示】
【発明が解決しようとする課題】
【０００５】
しかしながら、特許文献１及び特許文献２に開示されたオートチャンネルプリセットの技術では、電源コードを商用電源に接続後、電源を投入した時に初めてチャンネルプリセットが開始されるため、チャンネルプリセットが終わるまで必ず待たなければならず、電源投入時に直ちに放送番組を視聴することができずに、不便であるという問題があった。
【０００６】
本発明の課題は、自動チャンネルプリセットをより好適なタイミングで実行することで、ユーザにとって使い勝手の良い放送受信機及びテレビジョン放送受信機を提供することである。
【課題を解決するための手段】
【０００７】
以上の課題を解決するため、請求項１に記載の発明は、テレビジョン放送受信機において、
放送信号を受信する受信手段と、
電源コードが、商用電源に接続されたか否かを判断する判断手段と、
前記判断手段により、前記電源コードが商用電源に接続されたと判断されると、前記受信手段に自動スキャン受信処理を行わせ、前記自動スキャン受信処理により受信された放送チャンネルをチャンネルデータとしてチャンネルメモリに記憶させるチャンネルプリセット手段と、を備え、
前記チャンネルプリセット手段は、
受信された前記チャンネルデータと、前記チャンネルメモリに記憶されているチャンネルデータとを比較して、一致しているか否かを判定する判定手段と、
前記判定手段により、受信された前記チャンネルデータと、前記チャンネルメモリに記憶されている前記チャンネルデータとが、異なると判断されたときに、所定の第１報知表示を表示部に行う第１表示制御手段と、
前記第１表示制御手段により前記表示部に表示された前記第１報知表示に基づいて、前記チャンネルメモリに記憶する前記チャンネルデータにおける放送チャンネルの追加及び／又は削除を行うための操作入力手段と、
前記操作入力手段による入力操作により、前記チャンネルメモリに記憶する前記チャン
ネルデータにおける放送チャンネルの追加及び／又は削除を行うメモリ更新手段と、を備え、
前記チャンネルプリセット手段により受信された放送チャンネルがない場合に、電源オン時に、所定の第２報知表示を前記表示部に行う第２表示制御手段を備え、
前記チャンネルプリセット手段は、受信された放送チャンネルがない場合に、所定時間経過後に、再び、前記自動スキャン受信処理を実行することを特徴とする。
【０００８】
請求項２に記載の発明は、放送受信機において、放送信号を受信する受信手段と、
電源コードが、商用電源に接続されたか否かを判断する判断手段と、
前記判断手段により、前記電源コードが商用電源に接続されたと判断されると、前記受信手段に自動スキャン受信処理を行わせ、前記自動スキャン受信処理により受信された放送チャンネルをチャンネルデータとしてチャンネルメモリに記憶させるチャンネルプリセット手段と、
を備えることを特徴とする。
【０００９】
請求項３に記載の発明は、請求項２に記載の放送受信機において、前記チャンネルプリセット手段は、
前記自動スキャン受信処理により受信された前記チャンネルデータと、前記チャンネルメモリに記憶されているチャンネルデータとを比較して、一致しているか否かを判定する判定手段と、
前記判定手段により、受信された前記チャンネルデータと、前記チャンネルメモリに記憶されている前記チャンネルデータとが、異なると判断されたときに、所定の報知表示を表示部に行う表示制御手段と、
前記表示制御手段により前記表示部に表示された前記報知表示に基づいて、前記チャンネルメモリに記憶する前記チャンネルデータにおける放送チャンネルの追加及び／又は削除を行うための操作入力手段と、
前記操作入力手段による入力操作により、前記チャンネルメモリに記憶する前記チャンネルデータにおける放送チャンネルの追加及び／又は削除を行うメモリ更新手段と、
を備えることを特徴とする。
【００１０】
請求項４に記載の発明は、請求項２又は３に記載の放送受信機において、前記チャンネルプリセット手段により受信された放送チャンネルがない場合に、電源オン時に、所定の第２報知表示を前記表示部に行う第２表示制御手段を備えることを特徴とする。
【００１１】
請求項５に記載の発明は、請求項２〜４の何れか一項に記載の放送受信機において、前記チャンネルプリセット手段は、受信された放送チャンネルがない場合に、所定時間経過後に、再び、前記自動スキャン受信処理を実行することを特徴とする。
【発明の効果】
【００１２】
請求項１に記載の発明によれば、テレビジョン放送受信機において、判断手段により電源コードが商用電源に接続されたと判断されると、チャンネルプリセット手段により、自動スキャン受信処理が行われ、当該自動スキャン受信処理により受信された放送チャンネルがチャンネルデータとしてチャンネルメモリに記憶されるので、電源オン時に、チャンネルプリセットが終了している場合には、直ちに放送番組を視聴することが可能となって、ユーザにとって使い勝手の良いテレビジョン放送受信機を提供することができる。
【００１３】
また、判定手段により、自動スキャン受信処理により受信されたチャンネルデータと、チャンネルメモリに記憶されているチャンネルデータとを比較して、一致しているか否かが判定され、受信されたチャンネルデータとチャンネルメモリに記憶されているチャンネルデータとが異なると判断されたときに、第１表示制御手段により、所定の第１報知表示が表示部に行われ、メモリ更新手段により、操作入力手段による入力操作に基づいて、チ
ャンネルメモリに記憶されたチャンネルデータにおける放送チャンネルの追加及び／又は削除が行われるので、ユーザは所望の放送チャンネルの視聴ができることとなって、ユーザにとってより使い勝手の良いテレビジョン放送受信機を提供することができる。
【００１４】
また、チャンネルプリセット手段により受信された放送チャンネルがない場合に、電源オン時に、第２表示制御手段により、所定の第２報知表示が表示部に行われるので、当該第２報知表示により、ユーザは、例えば、アンテナが接続されていない等のテレビジョン放送受信機の状態を容易に認識することができる。
【００１５】
さらに、チャンネルプリセット手段により、受信された放送チャンネルがない場合に、所定時間経過後に、再び、自動スキャン受信処理が実行されるので、チャンネルデータの受信がより確実に行われることとなる。
【００１６】
請求項２に記載の発明によれば、放送受信機において、判断手段により電源コードが商用電源に接続されたと判断されると、チャンネルプリセット手段により、自動スキャン受信処理が行われ、当該自動スキャン受信処理により受信された放送チャンネルがチャンネルデータとしてチャンネルメモリに記憶されるので、電源オン時に、チャンネルプリセットが終了している場合には、直ちに放送番組を視聴することが可能となって、ユーザにとって使い勝手の良い放送受信機を提供することができる。
【００１７】
請求項３に記載の発明によれば、請求項２に記載の発明の効果が得られるのは無論のこと、判定手段により、チャンネルプリセット手段における自動スキャン受信処理により受信されたチャンネルデータと、チャンネルメモリに記憶されているチャンネルデータとを比較して、一致しているか否かが判定され、受信されたチャンネルデータとチャンネルメモリに記憶されている前記チャンネルデータとが異なると判断されたときに、表示制御手段により、所定の報知表示が表示部に行われ、メモリ更新手段により、操作入力手段による入力操作に基づいて、チャンネルメモリに記憶されたチャンネルデータにおける放送チャンネルの追加及び／又は削除が行われるので、ユーザは所望の放送チャンネルの視聴ができることとなって、ユーザにとって使い勝手の良い放送受信機を提供することができる。
【００１８】
請求項４に記載の発明によれば、請求項２又は３に記載の発明の効果が得られるのは無論のこと、チャンネルプリセット手段により受信された放送チャンネルがない場合に、電源オン時に、第２表示制御手段により、所定の第２報知表示が表示部に行われるので、当該第２報知表示により、ユーザは、例えば、アンテナが接続されていない等の放送受信機の状態を容易に認識することができる。
【００１９】
請求項５に記載の発明によれば、請求項２〜４の何れか一項に記載の発明の効果が得られるのは無論のこと、チャンネルプリセット手段により、受信された放送チャンネルがない場合に、所定時間経過後に、再び、自動スキャン受信処理が実行されるので、チャンネルデータの受信がより確実に行われることとなる。
【発明を実施するための最良の形態】
【００２０】
以下、本発明の実施の形態を、図面を参照して詳細に説明する。
【００２１】
なお、本実施の形態は、放送チャンネルのスキャン受信処理を自動で行うチャンネルプリセット機能を備えたテレビジョン放送受信機について説明する。
【００２２】
まず、装置全体の構成を、図１を参照しながら説明する。
【００２３】
本実施形態のテレビジョン放送受信機１００は、例えば、所定の放送チャンネルのテレビジョン放送信号（以下、放送信号という。）を受信し、受信された放送信号に基づく映像及び音声等を出力する受信機本体１と、ユーザが遠隔操作によって各種指示を入力するためのリモートコントロール装置（以下、リモコンという。）２と、を備えて構成されて
いる。
【００２４】
また、本実施形態のテレビジョン放送受信機１００は、チャンネルプリセットを、例えば、周波数シンセサイザ方式のスキャン受信処理に基づいて行う。
【００２５】
受信機本体１は、受信機本体１を商用電源に接続するための電源コード３ａを備える電源部３と、放送信号を受信するアンテナ４と、アンテナ４と接続され、アンテナ４により受信された放送信号から所定の放送チャンネルの放送信号を選局する受信手段としてのチューナ５と、チューナ５により選局された放送信号に基づいて映像検波及び同期検出を行うチャンネルプリセット手段としてのＰＩＦ検波回路６と、ＰＩＦ検波回路６から入力された放送信号を復調する復調器７と、復調器７により復調された放送信号を分離するデマルチプレクサ８と、デマルチプレクサ８により分離された放送信号を復号するデコーダ９と、デコーダ９により復号された放送信号に基づく映像・音声データに対して所定の処理を行う映像・音声処理部１０と、映像・音声処理部１０により処理された映像データにＯＳＤデータを付加するＯＳＤ回路１１と、映像・音声処理部１０により処理された映像信号を出力する表示部としての映像出力部１２と、映像・音声処理部１０により処理された音声信号を出力する音声出力部１３と、リモコン２からの入力操作信号を受信するとともに、当該入力操作信号を制御部１５に出力するリモコン信号受光部１４と、受信機本体１全体を統括制御する制御部１５と、を備えている。
【００２６】
電源部３は、商用電源から供給された交流電圧を、所定の電圧値（例えば、５Ｖ）の直流電圧ＶＣＣ、ＶＤＤに変換し、制御部１５に出力する。すなわち、ユーザにより電源コード３ａが商用電源に接続され、電源部３に交流電圧が供給されている間は、制御部１５に５Ｖの直流電圧ＶＣＣ，ＶＤＤが供給されることとなり、一方、ユーザにより商用電源から電源コード３ａが抜かれ、電源部３への交流電圧の供給が停止している間は、制御部１５に０Ｖの直流電圧が供給されることとなる。
【００２７】
アンテナ４は、屋外において所定の方向に向けて配置されており、図示しないテレビジョン放送局から発信される高周波（ＲＦ）の放送信号（ＲＦ信号）を受信する。
【００２８】
チューナ５は、図示は省略するが、ＰＬＬ回路（Phase Locked Loop: 位相同期回路）
、局部発信回路及び混合回路を備えて構成され、アンテナ４によって受信されたＲＦ信号と、局部発振回路から出力される局部発振信号とを混合回路により混合し、放送チャンネルの選局に関する制御部１５からの制御信号に応じて、ＲＦ信号の中から選局された放送チャンネルに対応する特定周波数帯に存在するＲＦ信号を受信する。そして、当該受信したＲＦ信号を所定の中間周波数を有する中間周波信号（ＩＦ信号）に変換して、ＰＩＦ検波回路６に出力する。
【００２９】
ここで、制御部１５から入力される放送チャンネルの選局に関する制御信号は、例えば、チューナ５の局部発振回路から出力される局部発振信号の局部発振周波数に対応する周波数データ（例えば、ＰＬＬデータ）であり、局部発振回路が当該周波数データに応じた局部発振周波数を有する局部発振信号を出力することにより、チューナ５による放送チャンネルの選局が行われる。
【００３０】
さらに、チューナ５は、後述するチャンネルプリセットプログラム１５４ｃの実行において、制御部１５からの制御信号に応じて、受信可能な放送チャンネルを検出する自動スキャン受信処理を行う。
【００３１】
ＰＩＦ検波回路６は、チューナ５から入力されたＩＦ信号を、図示しないＰＩＦ増幅回路により映像中間周波信号（ＰＩＦ信号）に変換し、当該ＰＩＦ信号に基づいて映像検波及び同期検出を行う。具体的には、ＰＩＦ検波回路６から映像同期信号の有無を示す同期検出信号及びＰＩＦ信号の規定値からのずれを示す自動周波数調整出力（ＡＦＴ出力）が制御部１５に入力され、制御部１５は、当該同期検出信号及びＡＦＴ出力に基づいて、チ
ューナ５により選局された放送チャンネルに存在する放送信号の有無を検出し、選局された放送チャンネルの放送信号が検出された場合には、当該放送信号の周波数を検出して周波数の確定を行う。
【００３２】
復調器７は、制御部１５からの制御信号に従って、ＰＩＦ検波回路６から入力されたＰＩＦ信号に対して復調処理や、誤り訂正等の処理を行い、トランスポートストリーム（ＴＳ）を生成して、デマルチプレクサ８に出力する。
【００３３】
デマルチプレクサ８は、復調器７から入力されたトランスポートストリームを、ＭＰＥＧ２（Moving Picture Experts Group ２）規格下のビデオストリーム、オーディオスト
リーム及びＰＳＩ／ＳＩ（Program Specific Information/Service Information）等に分離するとともに、当該ビデオストリーム及びオーディオストリームをデコーダ９に、ＰＳＩ／ＳＩに含まれるデータを制御部１５に供給する。
【００３４】
デコーダ９は、図示しない映像デコーダ及び音声デコーダを備えて構成されている。映像デコーダは、デマルチプレクサ８から入力されたビデオストリームを復号し、逆ＤＣＴ変換や動き補償制御等を行い、映像データを生成する。一方、音声デコーダは、デマルチプレクサ８から入力されたオーディオストリームを復号して、音声データを生成する。映像デコーダ及び音声デコーダによって生成された映像／音声データは、映像・音声処理部１０に出力されることとなる。
【００３５】
映像・音声処理部１０は、デコーダ９から入力された映像データ及び音声データに対して、Ｄ／Ａ変換等の各種処理を施し、映像信号及び音声信号を生成する。そして、当該映像信号を映像出力部１２に出力するとともに、当該音声信号を音声出力部１３に出力する。
【００３６】
ＯＳＤ回路１１は、制御部１５からの指示出力に応じて、ＲＯＭ１５４に格納された図示しないＯＳＤデータを、デコーダ９から出力された映像信号に合成する処理を行う。
【００３７】
映像出力部１２は、例えば、ＬＣＤ（Liquid Crystal Display）、ＰＤＰ（Plasma Display Panel）等の表示画面１２ａを備え、映像・音声処理部１０から入力された映像信号に基づく映像を表示画面１２ａに表示させる。
【００３８】
音声出力部１３は、例えば、スピーカ１３ａ等を備え、映像・音声処理部１０から入力された音声信号に基づく音声をスピーカ１３ａにより出力させる。
【００３９】
リモコン信号受光部１４は、リモコン２に備わる各種キーの押下操作により送信された入力操作信号を受信して、制御部１５に出力する。
【００４０】
制御部１５は、Ｉ／Ｏポート１５１、ＣＰＵ（Central Processing Unit）１５２、メ
モリ部１５３、ＲＯＭ（Read Only Memory）１５４等を備えて構成されている。
【００４１】
ＣＰＵ１５２は、受信機本体１の各部からＩ／Ｏポート１５１を介して入力された入力信号及びリモコン２の各種キーの押下操作によってリモコン信号受光部１４及びＩ／Ｏポート１５１を介して入力された入力操作信号等に応じて、ＲＯＭ１５４に格納された各種プログラムを実行するとともに、Ｉ／Ｏポート１５１を介して各部に出力信号を出力することによって、受信機本体１の動作全般を統括制御する。
【００４２】
メモリ部１５３は、ＲＡＭ（Random Access Memory）１５３ａを備え、ＣＰＵ１５２によって各種プログラムが実行される際に生じる処理結果や、入力されたデータ等を当該ＲＡＭ１５３ａに記憶するとともに、ＥＥＰＲＯＭ（Electrically Erasable ROM）、フラ
ッシュメモリ等の不揮発性のチャンネルメモリ１５３ｂを備え、チャンネルプリセットにおける自動スキャン受信処理により受信された放送チャンネルのチャンネルデータを、当該チャンネルメモリ１５３ｂに格納する。
【００４３】
具体的には、チャンネルメモリ１５３ｂには、チャンネルプリセットの実行において、自動スキャン受信処理により、チューナ５により選局された放送チャンネルの放送信号が検出され、さらに、当該検出された放送信号の周波数が検出されて周波数の確定が行われたときに、検出された放送信号が存在する放送チャンネル（物理チャンネル）と、当該確定された放送チャンネルの放送信号の周波数データが、リモコン２のチャンネルキーに表示されるポジション番号に対応付けられて記憶される。
【００４４】
ＲＯＭ１５４は、設定プログラム１５４ａ、判断プログラム１５４ｂ、チャンネルプリセットプログラム１５４ｃ、判定プログラム１５４ｄ、第１表示制御プログラム１５４ｅ、メモリ更新プログラム１５４ｆ、第２表示制御プログラム１５４ｇ、等のプログラムを格納している。ＲＯＭ１５４は、さらに、図示しないＯＳＤデータを格納し、設定プログラム１５４ａ、第１表示制御プログラム１５４ｅ、メモリ更新プログラム１５４ｆ及び第２表示制御プログラム１５４ｇ等の実行において、当該ＯＳＤデータに基づくＯＳＤ表示が表示画面１２ａ上で行われることとなる。
【００４５】
設定プログラム１５４ａは、例えば、ＣＰＵ１５２に、後述する判定プログラム１５４ｄの実行により、チャンネルプリセットにより受信されたチャンネルデータと、チャンネルメモリ１５３ｂに記憶されているチャンネルデータとが一致していないと判断したときに、一致していない放送チャンネルをユーザに提示し、各々の放送チャンネルについて、削除又は追加するかをユーザに選択させることにより、チャンネルメモリ１５３ｂのチャンネルデータを更新するメモリ更新処理を行うか否かをユーザに選択させる機能を実現させるプログラムである。
【００４６】
具体的には、ユーザによりリモコン２のメニューキーが押下されると、ＣＰＵ１５２は、例えば、図２に示すように、メモリ更新処理を実行するか否かをユーザに選択させるためのメニュー画面のＯＳＤデータを、ＯＳＤ回路１１により付加させて、表示画面１２ａに表示させる。ＣＰＵ１５２は、当該メニュー画面に基づいて、リモコン２の操作により選択されたメモリ更新処理を実行する／実行しない設定に基づいて、チャンネルプリセット後に判定プログラム１５４ｄを実行する／実行しないこととなる。ユーザにより、メモリ更新処理を実行しない設定がなされたときには、チャンネルプリセットの自動スキャン受信処理後に、判定プログラム１５４ｄの実行は行われず、チャンネルメモリ１５３ｂに記憶されているチャンネルデータは、チャンネルプリセットにより受信されたチャンネルデータに基づいて書き換えられ、自動的に更新されることとなる。
【００４７】
判断プログラム１５４ｂは、例えば、ＣＰＵ１５２に、電源部３からの所定の電圧値（例えば、５Ｖ）の直流電圧の送出を検知することにより、ユーザにより受信機本体１の電源コード３ａが商用電源に接続され、受信機本体１に交流電圧が供給されているか否かを判断させる機能を実現させるプログラムである。
【００４８】
ＣＰＵ１５２は、かかる判断プログラム１５４ｂを実行することにより、判断手段として機能する。
【００４９】
チャンネルプリセットプログラム１５４ｃは、例えば、ＣＰＵ１５２に、判断プログラム１５４ｂの実行により受信機本体１が商用電源に接続されていると判断されたときに、自動スキャン受信処理の実行により、ＰＩＦ検波回路６から入力された同期検出信号及びＡＦＴ出力によって、チューナ５により選局された放送チャンネルに存在する放送信号の有無の検出及び当該放送信号の周波数の検出・確定を行わせ、チャンネルメモリ１５３ｂに、当該放送信号が存在する放送チャンネル及び当該周波数データを、ポジション番号に対応付けて記憶させる機能を実現させるプログラムである。
【００５０】
また、チャンネルプリセットプログラム１５４ｃは、自動スキャン受信処理の実行により放送チャンネルが受信されなかった場合に、例えば、所定時間経過後（例えば、５分後
）、ＣＰＵ１５２に、再度自動スキャン受信処理を実行させる機能を実現させるプログラムである。このとき、自動スキャン受信処理を、所定回数（例えば、３回）実行したものの、放送チャンネルが受信されなかった場合には、電源がオンされてユーザによる指示入力があるまで、自動スキャン受信処理は行われないようになっている。
【００５１】
さらに、チャンネルプリセットプログラム１５４ｃは、自動スキャン受信処理の実行により所定数の放送チャンネル（例えば、１チャンネル〜３０チャンネル）の受信が行われず、例えば自動スキャン受信処理の実行中にアンテナ４が正常に接続された等の理由により、所定数の放送チャンネルを除く放送チャンネルの受信（例えば、３１チャンネル〜６２チャンネル）が可能になった場合において、ＣＰＵ１５２に、最後の放送チャンネル（例えば、６２チャンネル）まで選局が行われた後に、自動スキャン受信処理により受信が行われなかった所定数の放送チャンネル（例えば、１チャンネル〜３０チャンネル）に対してのみ、再度自動スキャン受信処理を実行させる。
【００５２】
ＣＰＵ１５２は、かかるチャンネルプリセットプログラム１５４ｃを実行することにより、リモコン２、ＰＩＦ検波回路６、チャンネルメモリ１５３ｂ、判定プログラム１５４ｄ、第１表示制御プログラム１５４ｅ、メモリ更新プログラム１５４ｆとともにチャンネルプリセット手段として機能する。
【００５３】
判定プログラム１５４ｄは、例えば、ＣＰＵ１５２に、設定プログラム１５４ａの実行によりメモリ更新処理が行われる設定がなされた場合において、チャンネルプリセットプログラム１５４ｃの実行により行われた自動スキャン受信処理により、チャンネルデータをメモリ部１５３のＲＡＭ１５３ａに一時的に格納し、さらに、チャンネルメモリ１５３ｂにチャンネルデータが格納されている場合に、ＲＡＭ１５３ａに記憶されたチャンネルデータと、チャンネルメモリ１５３ｂに記憶されたチャンネルデータとを比較して、一致しているか否かを判定させる機能を実現させるプログラムである。判定プログラム１５４ｄの実行により、ＲＡＭ１５３ａのチャンネルデータと、チャンネルメモリ１５３ｂのチャンネルデータとが一致していると判定されたときは、ＣＰＵ１５２は、チャンネルメモリ１５３ｂのチャンネルデータを、ＲＡＭ１５３ａに格納されたチャンネルデータに基づいて書き換え、自動的に更新する。
【００５４】
ＣＰＵ１５２は、かかるチャンネル判定プログラム１５４ｄを実行することにより、判定手段として機能する。
【００５５】
第１表示制御プログラム１５４ｅは、例えば、ＣＰＵ１５２に、判定プログラム１５４ｄの実行により、ＲＡＭ１５３ａのチャンネルデータと、チャンネルメモリ１５３ｂのチャンネルデータとが一致していないと判断したときに、一致していない旨の第１報知表示（報知表示）を表示部に表示させることで、その旨をユーザに報知させる機能を実現させるプログラムである。
【００５６】
具体的には、ＣＰＵ１５２は、ＲＡＭ１５３ａのチャンネルデータと、チャンネルメモリ１５３ｂのチャンネルデータとが一致していないと判断すると、例えば、図３（ａ）に示すように、今回のチャンネルプリセットにより検出されたチャンネルデータと、チャンネルメモリ１５３ｂに記憶されたチャンネルデータとが、異なる旨をユーザに通知させるためのＯＳＤデータを、ＯＳＤ回路１１により付加させて、表示画面１２ａに表示させる。
【００５７】
ＣＰＵ１５２は、かかる第１表示制御プログラム１５４ｅを実行することにより、第１表示制御手段（表示制御手段）として機能する。
【００５８】
また、前述の第１表示制御プログラム１５４ｅは、ＣＰＵ１５２に、判定プログラム１５４ｄの実行により、ＲＡＭ１５３ａのチャンネルデータと、チャンネルメモリ１５３ｂのチャンネルデータとが一致していると判断したときに、チャンネルデータが一致している旨の報知表示を映像出力部１２の表示画面１２ａに表示させることで、その旨をユーザに報知させる機能を実現させるプログラムである。
【００５９】
具体的には、ＣＰＵ１５２は、ＲＡＭ１５３ａのチャンネルデータと、チャンネルメモリ１５３ｂのチャンネンルデータとが一致していると判断すると、例えば、図３（ｂ）に示すように、今回のチャンネルプリセットにより検出されたチャンネルデータが、記憶されたチャンネルデータと一致している旨をユーザに通知させるためのＯＳＤデータを、ＯＳＤ回路１１により付加させて、表示画面１２ａに表示させる。
【００６０】
メモリ更新プログラム１５４ｆは、例えば、ＣＰＵ１５２に、設定プログラム１５４ａの実行によりメモリ更新処理が行われる設定がなされた場合において、判定プログラム１５４ｄの実行により、ＲＡＭ１５３ａのチャンネルデータと、チャンネルメモリ１５３ｂのチャンネルデータとが一致していないと判断し、第１表示制御プログラム１５４ｅの実行により一致していないことをユーザに報知したときに、一致していない放送チャンネルをユーザに提示し、それぞれの放送チャンネルについて追加及び／又は削除するかをユーザに選択させ、ユーザにより選択された放送チャンネルの追加及び／又は削除に基づいて、チャンネルメモリ１５３ｂのチャンネルデータを更新させる機能を実現させるプログラムである。
【００６１】
具体的には、ＣＰＵ１５２は、例えば、図４に示すように、ＲＡＭ１５３ａのチャンネルデータと、チャンネルメモリ１５３ｂのチャンネルデータとの比較において、異なる放送チャンネルを、ユーザに提示し、それぞれの放送チャンネルについて追加又は削除するかをユーザに選択させるためのメモリ更新画面のＯＳＤデータを、ＯＳＤ回路１１により付加させて、表示画面１２ａに表示させる。当該表示画面１２ａに基づいてリモコン２の入力操作により制御部１５に入力された放送チャンネルの追加／削除の入力操作信号に応じて、ＣＰＵ１５２は、チャンネルメモリ１５３ｂに記憶された放送チャンネルの追加又は削除を行い、チャンネルデータを更新することとなる。このとき、チャンネルメモリ１５３ｂのチャンネルデータを基準に、ＲＡＭ１５３ａのチャンネルデータにのみ存在する放送チャンネルが追加する放送チャンネルとして、一方、チャンネルメモリ１５３ｂのチャンネルデータにのみ存在する放送チャンネルが削除する放送チャンネルとして、メモリ更新画面上に表示される。また、図４において図示は省略するものの、ＣＰＵ１５２は、メモリ更新画面においてユーザがＯＳＤ表示にて追加／削除を選択中の放送チャンネルの放送信号をチューナ５により選局させて、当該放送信号に基づく映像を表示画面１２ａ上のＯＳＤ表示の背面に表示させるとともに、選択中の放送チャンネルの文字表示が、色等によりその他の文字表示と区別される方式のＯＳＤ表示を行う。
【００６２】
第２表示制御プログラム１５４ｇは、例えば、ＣＰＵ１５２に、テレビジョン放送受信機１００の電源がオンされたときに、受信機本体１の商用電源への接続後に実行されたチャンネルプリセットプログラム１５４ｃにより、受信された放送チャンネルがない場合に、受信された放送チャンネルがない旨の第２報知表示を映像出力部１２の表示画面１２ａに表示させることで、その旨をユーザに報知させる機能を実現させるプログラムである。
【００６３】
具体的には、ＣＰＵ１５２は、チャンネルプリセットプログラム１５４ｃの実行において、自動スキャン受信処理による放送チャンネルの受信がなされなかった場合、テレビジョン放送受信機１００の電源がオンされると、例えば、図５（ａ）に示すように、受信された放送チャンネルがない旨をユーザに報知させ、さらに、チャンネルプリセットプログラム１５４ｃの実行により、再度自動スキャン受信処理を開始することを報知させるためのＯＳＤデータを、ＯＳＤ回路１１により付加させて、表示画面１２ａに表示させる。
【００６４】
ＣＰＵ１５２は、かかる第２表示制御プログラム１５４ｇを実行することにより第２表示制御手段として機能する。
【００６５】
また、前述の第２表示制御プログラム１５４ｇは、例えば、ＣＰＵ１５２に、テレビジョン放送受信機１００の電源がオンされたとき、チャンネルプリセットプログラム１５４ｃの実行による放送チャンネルの検出の一部が未完了であった場合に、ユーザにその旨を通知させる機能を実現させるプログラムである。
【００６６】
具体的には、ＣＰＵ１５２は、ユーザによりテレビジョン放送受信機１００の電源がオンされたとき、チャンネル検出プログラムの実行による自動スキャン受信処理において、放送チャンネルの検出の一部が未だ行われておらず、自動スキャン受信処理が未完了であった場合に、例えば、図５（ｂ）に示すように、その旨をユーザに通知させ、さらに、自動スキャン受信処理を未完了部分について継続して実行するか、或いは自動スキャン受信処理を再び初めから実行するかをユーザに選択させるためのＯＳＤデータを、ＯＳＤ回路１１により付加させて、表示画面１２ａに表示させる。
【００６７】
リモコン２は、例えば、図示は省略するが、テレビジョン放送受信機１００の電源をオン／オフするためのＰＯＷＥＲキーと、ポジション番号が表示され、チャンネルプリセットにおける自動スキャン受信処理においてそれぞれに放送チャンネル（物理チャンネル）が割り当てられるチャンネルキーと、表示画面１２ａに表示された放送チャンネルを変更するためのチャンネルアップ／ダウンキーと、音量を調節するためのボリュームアップ／ダウンキーと、各種メニュー画面を表示画面１２ａに表示させるためのメニューキーと、を備え、それぞれのキーを押下すると、当該キーに対応する入力操作信号がリモコン信号受光部１４を介して制御部１５に出力されるようになっている。
【００６８】
リモコン２のチャンネルキー又はチャンネルアップ／ダウンキーが押下されて、放送チャンネルの選局のための入力操作信号が制御部１５に入力されると、当該入力操作信号に対応する放送チャンネルの周波数データがチャンネルメモリ１５３ｂから読み出され、当該周波数データがチューナ５に出力されて、放送チャンネルの選局が行われることとなる。
【００６９】
また、リモコン２は、メモリ更新プログラム１５４ｆの実行において、ＲＡＭ１５３ａに記憶されたチャンネルデータと、チャンネルメモリ１５３ｂに記憶されたチャンネルデータとの、一致していない放送チャンネルについて、それぞれを追加又は削除するための入力操作を行う操作入力手段として機能する。
【００７０】
次に、設定プログラム１５４ａの実行によりメモリ更新処理が実行される設定がなされた場合において、ＣＰＵ１５２によって行われるチャンネルプリセット動作処理について、図６を参照して説明する。
【００７１】
なお、メモリ更新処理が実行される設定がなされた場合に行われるチャンネルプリセット動作処理は、ＣＰＵ１５２が、判断プログラム１５４ｂ、チャンネルプリセットプログラム１５４ｃ、判定プログラム１５４ｄ、第１表示制御プログラム１５４ｅ及びメモリ更新プログラム１５４ｆを実行することにより行われる。
【００７２】
まず、ＣＰＵ１５２は、ユーザにより電源コード３ａが商用電源に接続され、受信機本体１に交流電圧が供給されたか否かを判断する（ステップＳ１）。ステップＳ１において、ＣＰＵ１５２は、電源部３からの直流電圧（例えば、５Ｖ）の送出を検知することにより、電源コード３ａが商用電源に接続されたと判断すると（ステップＳ１；Ｙｅｓ）、自動スキャン受信処理を開始する（ステップＳ２）。ＣＰＵ１５２は、放送チャンネルの番号ｎ（例えば、初期値ｎ＝１）に対応する周波数データをチューナ５に送信し（ステップＳ３）、当該周波数データに応じた放送信号を受信したか否かを判断する（ステップＳ４）。ステップＳ４において、ＣＰＵ１５２は、ＰＩＦ検波回路６から入力された同期検出信号によって、チューナ５により選局された放送チャンネルの放送信号を受信したと判断すると（ステップＳ４；Ｙｅｓ）、ＰＩＦ検波回路６から入力されたＡＦＴ出力によって当該放送信号の周波数の検出及び確定を行い、当該放送チャンネル番号ｎと当該放送チャンネル番号ｎの放送信号の周波数データを、ｎと同一のポジション番号に対応付けて、メモリ部１５３のＲＡＭ１５３ａ内に一時的に記憶させる（ステップＳ５）。一方、ステップＳ４において、ＣＰＵ１５２は、チューナ５により選局された放送チャンネルの放送信号を受信しないと判断すると（ステップＳ４；Ｎｏ）、ステップＳ６に進む。
【００７３】
次に、ＣＰＵ１５２は、ステップＳ６において、放送チャンネルの番号ｎをインクリメ
ントさせ、放送チャンネル番号ｎがｎ＝６３であるか否かを判断する（ステップＳ７）。ＣＰＵ１５２は、ステップＳ７において、放送チャンネル番号ｎがｎ＝６３でないと判断した場合には（ステップＳ７；Ｎｏ）、ステップＳ３に戻る。一方、ＣＰＵ１５２は、ステップＳ７において放送チャンネル番号ｎがｎ＝６３であると判断した場合には（ステップＳ７；Ｙｅｓ）、ステップＳ８に進む。
【００７４】
ステップＳ８において、ＣＰＵ１５２は、チャンネルメモリ１５３ｂにチャンネルデータが格納されているか否かを判断する。ＣＰＵ１５２は、ステップＳ８において、チャンネルメモリ１５３ｂにチャンネルデータが格納されていないと判断すると（ステップＳ８；Ｎｏ）、ＲＡＭ１５３ａに記憶させたチャンネルデータをチャンネルメモリ１５３ｂに記憶させて、チャンネルメモリ１５３ｂを自動的に更新し、本処理を終了する。
【００７５】
一方、ＣＰＵ１５２は、ステップＳ８において、チャンネルメモリ１５３ｂにチャンネルデータが格納されていると判断すると（ステップＳ８；Ｙｅｓ）、ＲＡＭ１５３ａのチャンネルデータとチャンネルメモリ１５３ｂのチャンネルデータを比較し、一致しているか否かを判断する（ステップＳ９）。
【００７６】
ステップＳ９において、ＣＰＵ１５２は、ＲＡＭ１５３ａのチャンネルデータとチャンネルメモリ１５３ｂのチャンネルデータとが一致していると判断した場合には（ステップＳ９；Ｙｅｓ）、電源がオンされたか否かを判断する（ステップＳ１０）。ＣＰＵ１５２は、ステップＳ１０において、電源がオンされたと判断すると（ステップＳ１０；Ｙｅｓ）、今回のチャンネルプリセットにより取得されたチャンネルデータが、チャンネルメモリ１５３ｂに記憶されたチャンネルデータと異ならない旨をユーザに通知させるためのＯＳＤデータを、ＯＳＤ回路１１により付加させて、表示画面１２ａに表示させ（ステップＳ１１）、本処理を終了する。
【００７７】
一方、ＣＰＵ１５２は、ステップＳ９において、ＲＡＭ１５３ａのチャンネルデータとチャンネルメモリ１５３ｂのチャンネルデータとが一致していないと判断した場合には（ステップＳ９；Ｎｏ）、ユーザにより電源がオンされたか否かを判断する（ステップＳ１２）。ＣＰＵ１５２は、ステップＳ１２において、電源がオンされたと判断すると（ステップＳ１２；Ｙｅｓ）、今回のチャンネルプリセットにより取得されたチャンネルデータが、記憶されたチャンネルデータと異なる旨をユーザに通知させるためのＯＳＤデータを、ＯＳＤ回路１１により付加させて、表示画面１２ａに表示させる（ステップＳ１３）。ステップＳ１４において、ＣＰＵ１５２は、さらに、ＲＡＭ１５３ａに記憶されたチャンネルデータと、チャンネルメモリ１５３ｂに記憶されたチャンネルデータとの比較において異なる放送チャンネルを、ユーザに提示し、それぞれの放送チャンネルについて追加又は削除するかをユーザに選択させるためのメモリ更新画面のＯＳＤデータを、ＯＳＤ回路１１により付加させて、表示画面１２ａに表示させる。次に、ＣＰＵ１５２は、当該メモリ更新画面に基づいてリモコン２の入力操作により放送チャンネルの追加／削除が選択され、当該入力操作に基づく入力操作信号が制御部１５に入力されると（ステップＳ１５）、当該放送チャンネルの追加／削除の入力操作信号に応じて、チャンネルメモリ１５３ｂに記憶された放送チャンネルの追加及び／又は削除を行い、チャンネルデータを更新して（ステップＳ１６）、本処理を終了する。
【００７８】
以上説明した本発明に係るテレビジョン放送受信機１００によれば、ＣＰＵ１５２による判断プログラム１５４ｂの実行により、受信機本体１の電源コード３ａが商用電源に接続されたと判断されると、チャンネルプリセットプログラム１５４ｃの実行により、自動スキャン受信処理が行われ、チューナ５により選局された放送チャンネルが、チャンネルデータとしてチャンネルメモリ１５３ｂに記憶されるので、電源オン時にチャンネルプリセットが終了している場合には、直ちに放送番組を視聴することが可能となって、ユーザにとって使い勝手の良いテレビジョン放送受信機１００を提供することができる。
【００７９】
また、ＣＰＵ１５２による判定プログラム１５４ｄの実行により、自動スキャン受信処理により受信され、ＲＡＭ１５３ａに記憶されたチャンネルデータと、チャンネルメモリ１５３ｂに記憶されているチャンネルデータとを比較して、一致しているか否かが判定され、ＲＡＭ１５３ａのチャンネルデータとチャンネルメモリ１５３ｂのチャンネルデータとが異なると判断されたときに、第１表示制御プログラム１５４ｅにより、一致していない旨の第１報知表示が映像表示部１２の表示画面１２ａに行われ、さらにメモリ更新プログラム１５４ｆの実行により、リモコン２による入力操作に基づいて、チャンネルデータにおける放送チャンネルの追加及び／又は削除が行われるので、ユーザは所望の放送チャンネルの視聴ができることとなって、ユーザにとって使い勝手の良いテレビジョン放送受信機１００を提供することができる。
【００８０】
また、チャンネルプリセットプログラム１５４ｃの実行により受信された放送チャンネルがない場合に、電源オン時に、ＣＰＵ１５２による第２表示制御プログラム１５４ｇの実行により、受信された放送チャンネルがない旨の第２報知表示が映像出力部１２の表示画面１２ａに行われるので、当該第２報知表示により、ユーザは、例えば、アンテナ４が接続されていない等のテレビジョン放送受信機１００の状態を容易に認識することができる。
【００８１】
また、チャンネルプリセットプログラム１５４ｃの実行により、受信された放送チャンネルがない場合に、再度自動スキャン受信処理が実行されるので、チャンネルデータの受信がより確実に行われることとなる。
【００８２】
なお、本発明は、上記実施の形態に限定されることなく、本発明の趣旨を逸脱しない範囲において、種々の改良並びに設計の変更を行っても良い。
【００８３】
例えば、本発明は、チャンネルプリセットが周波数シンセサイザ方式の自動スキャン受信処理により実行される設計としたが、チャンネルプリセット方法は他の方法で良く、例えば、電圧シンセサイザ方式であっても良い。
【００８４】
また、本発明は、放送受信機としてテレビジョン放送受信機１００を用いて説明しているが、放送信号の受信行う受信装置であればよく、例えば、ラジオ放送受信機でも良い。また、放送波は、アナログ放送波であってもよい。
【００８５】
また、本発明は、映像同期信号の有無を示す同期検出信号により、放送信号の有無を検出する設計としたが、放送信号の有無を検出する方法はこれに限られず、例えば、信号レベルが所定の閾値以上であるか否かを検出して放送信号の有無を検出する方法であっても良い。
【図面の簡単な説明】
【００８６】
【図１】本発明に係るテレビジョン放送受信機の主要な内部構成を示すブロック図である。
【図２】設定プログラムの実行に際して、映像出力部の表示画面に表示されるメニュー画面を例示した図である。
【図３】第１表示制御プログラムの実行に際して、映像出力部の表示画面に表示される第１報知表示を例示した図である。
【図４】メモリ更新プログラムの実行に際して、映像出力部の表示画面に表示されるメモリ更新画面を例示した図である。
【図５】第２表示制御プログラムの実行に際して、映像出力部の表示画面に表示される第２報知表示を例示した図である。
【図６】チャンネルプリセット動作処理を示すフローチャートである。
【符号の説明】
【００８７】
１００    テレビジョン放送受信機（放送受信機）
２        リモコン（操作入力手段）
３ａ      電源コード
５        チューナ（受信手段）
６        ＰＩＦ検波回路（チャンネルプリセット手段）
１２      映像出力部（表示部）
１５２    ＣＰＵ（判断手段、チャンネルプリセット手段、判定手段、第１表示制御手段、表示制御手段、メモリ更新手段、第２表示制御手段）
１５３ｂ  チャンネルメモリ（チャンネルプリセット手段）
１５４ｂ  判断プログラム（判断手段）
１５４ｃ  チャンネルプリセットプログラム（チャンネルプリセット手段）
１５４ｄ  判定プログラム（判定手段）
１５４ｅ  第１表示制御プログラム（第１表示制御手段、表示制御手段）
１５４ｆ  メモリ更新プログラム（メモリ更新手段）
１５４ｇ  第２表示制御プログラム（第２表示制御手段）
【図１】
2007088578.tif 000003
【図２】
2007088578.tif 000004
【図３】
2007088578.tif 000005
【図４】
2007088578.tif 000006
【図５】
2007088578.tif 000007
【図６】
2007088578.tif 000008